(57)【要約】  照明付き化粧鏡セットは、鏡面を有する鏡ユニットと、色調整可能な照明用の面光源が取り付けられた側板と、面光源を入力操作に応じて駆動しかつ面光源の発光色及び輝度を調整する制御部とを備え、側板は鏡ユニットの側端部に折りたたみ可能にかつ鏡面と側板との角度を調整自在に連結されている。これにより最適な照明状態を作り出しかつ容易に持ち運ぶことができる。
2013047784.tif 000002
【特許請求の範囲】
【請求項１】
鏡面を有する鏡ユニットと、
色調整可能な照明用の面光源が取り付けられた側板と、
前記面光源を入力操作に応じて駆動しかつ前記面光源の発光色及び輝度を調整する制御部と、を備え、
前記側板は前記鏡ユニットの側端部に折りたたみ可能にかつ前記鏡面と前記側板との角度を調整自在に連結されていることを特徴とする照明付き化粧鏡セット。
【請求項２】
前記側板には複数の前記面光源が取り付けられ、前記面光源各々は個別に発光制御可能であることを特徴とする請求項１記載の照明付き化粧鏡セット。
【請求項３】
前記面光源の発光面は非発光時には鏡面として作用することを特徴とする請求項１又は２記載の照明付き化粧鏡セット。
【請求項４】
前記面光源は前記側板に対する角度を調整可能に取り付けられていることを特徴とする請求項１〜３のいずれか１記載の化粧鏡セット。
【請求項５】
前記側板には点光源を有することを特徴とする請求項１〜４のいずれか１記載の照明付き化粧鏡セット。
【請求項６】
前記鏡ユニットの左右の側端部各々に前記側板が連結されていることを特徴とする請求項１〜５のいずれか１記載の照明付き化粧鏡セット。
【請求項７】
前記鏡ユニットは支持台によって支持され、前記支持台は前記鏡ユニットに対して着脱自在にされていることを特徴とする請求項１〜６のいずれか１記載の照明付き化粧鏡セット。
【請求項８】
鏡面を有する鏡ユニットと、
色調整可能な照明用の面光源が取り付けられた側板と、
前記面光源を入力操作に応じて駆動しかつ前記面光源の発光色及び輝度を調整する制御部と、を備え、
前記側板は前記鏡ユニットの側端部に連結しかつ前記鏡ユニットに対してスライドして重なり合い可能にされていることを特徴とする照明付き化粧鏡セット。
【発明の詳細な説明】
【技術分野】
【０００１】
本発明は、鏡ユニットと共に照明用の光源を有する照明付き化粧鏡セットに関する。
【背景技術】
【０００２】
モデルや女優の化粧（整髪を含む）の際には化粧の具合を鏡に明確に映し出すために照明が必要とされ、そのような照明用として複数の光源を並べたハリウッドライトと称するものが知られている。また、化粧鏡の両側にハリウッドライトを備えた照明付き化粧鏡セットがメークアップケースとして商品化されている。ハリウッドライトにおいては光源としては通常、点光源の白熱電球が用いられている。【０００３】
更に、三面鏡の正面鏡本体の正面鏡面の周囲の上下左右の側縁部の少なくとも一側縁に照明用光源を備えた装置（特許文献１）や、照明特性を調整可能な照明装置と化粧鏡とを備えた化粧ユニット（特許文献２）が知られている。特許文献１の装置の光源には点光源のＬＥＤ（発光ダイオード）が用いられ、特許文献２のユニットでは発光色を変化させるためにＲＧＢランプが用いられている。
【先行技術文献】
【特許文献】
【０００４】
【特許文献１】特開２００８−２７２３３３号公報
【特許文献２】特開２００９−１２５１１４号公報
【発明の概要】
【発明が解決しようとする課題】
【０００５】
ハリウッドライトを用いた従来の照明付き化粧鏡セットにおいては上記したように光源として白熱電球が使用されているため、セットが大きなものとなり、持ち運びに不自由が生じていた。また、照明の色を変えることができないため、最適な照明状態を得ることが困難であった。【０００６】
また、ＬＥＤ、電球等の点光源を使用した従来の照明付き化粧用鏡セットにおいては、点光源の明かりが直接目に入り眩しいため、長時間の化粧において非常に苦痛を感じるものであった。【０００７】
そこで、本発明が解決しようとする課題は、上記の欠点が一例として挙げられ、最適な照明状態を作り出しかつ容易に持ち運ぶことができる照明付き化粧鏡セットを提供することが本発明の目的である。
【課題を解決するための手段】
【０００８】
請求項１に係る発明の照明付き化粧鏡セットは、鏡面を有する鏡ユニットと、色調整可能な照明用の面光源が取り付けられた側板と、前記面光源を入力操作に応じて駆動しかつ前記面光源の発光色及び輝度を調整する制御部と、を備え、前記側板は前記鏡ユニットの側端部に折りたたみ可能にかつ前記鏡面と前記側板との角度を調整自在に連結されていることを特徴としている。【０００９】
請求項８に係る発明の照明付き化粧鏡セットは、鏡面を有する鏡ユニットと、色調整可能な照明用の面光源が取り付けられた側板と、前記面光源を入力操作に応じて駆動しかつ前記面光源の発光色及び輝度を調整する制御部と、を備え、前記側板は前記鏡ユニットの側端部に連結しかつ前記鏡ユニットに対してスライドして重なり合い可能にされていることを特徴としている。
【図面の簡単な説明】
【００１０】
【図１】本発明の実施例として照明付き化粧鏡セットを示す外観図である。
【図２】図１の化粧鏡セット中の蝶番機構を示す図である。
【図３】図１の化粧鏡セットの折りたたみ状態を示す外観図である。
【図４】図１の化粧鏡セット中の有機ＥＬパネルの構造を示す断面図である。
【図５】図１の化粧鏡セットの駆動装置の構成を示すブロック図である。
【図６】図１の化粧鏡セット中の操作部の各押しボタンを示す図である。
【図７】図１の化粧鏡セットにおいて鏡面となった有機ＥＬパネルを示す外観図である。
【図８】図１の化粧鏡セットにおいて角度調整可能な有機ＥＬパネルを示す外観図である。
【図９】側板に面光源と共に点光源を有する照明付き化粧鏡セットを示す外観図である。
【図１０】スライド機構を有する照明付き化粧鏡セットを示す外観図である。
【図１１】単一の面光源の発光面を複数の領域に分けて領域毎に個別に駆動する照明付き化粧鏡セットを示す外観図である。
【図１２】鏡面左右及び上方に面光源を各々備えた照明付き化粧鏡セットを示す外観図である。
【実施例】
【００１１】
以下、本発明の実施例を、図面を参照しつつ詳細に説明する。【００１２】
図１は請求項１に係る発明の実施例である照明付きの化粧鏡セットを示している。この化粧鏡セットは、鏡ユニット１１、左右の側板１２，１３、及び支持台１４を備えている。鏡ユニット１１は長方形の鏡２１とその鏡２１の裏面に張り合わされた平板２２とを有する。平板２２は樹脂、木、或いは金属からなり、鏡２１のサイズと同一サイズを有しても良いし、若干大きくても良い。左側の側板１２は鏡ユニット１１の左側端部に角度調整自在に連結され、右側の側板１３は鏡ユニット１１の右側端部に角度調整自在に連結されている。鏡ユニット１１と側板１２，１３との間には図２に示すように蝶番機構１５が形成されており、その蝶番機構１５によって上記の角度調整自在な連結が可能となっている。その角度調整範囲は鏡ユニット１１と側板１２，１３とがほぼ水平となる角度から、鏡ユニット１１に対して側板１２，１３を折りたたんだ状態における角度までを含む。【００１３】
側板１２，１３各々の垂直方向の長さは鏡ユニット１１の垂直方向の長さと同一であるが、水平方向の長さは鏡ユニット１１の水平方向の長さの１／２以下である。【００１４】
側板１２，１３各々の表面には４つの有機ＥＬ(Electro Luminescence)パネル（面光源）２５ａ〜２５ｄ，２６ａ〜２６ｄが垂直方向に並べて接着によって取り付けられている。有機ＥＬパネル２５ａ〜２５ｃ，２６ａ〜２６ｄは同一のものであり、例えば、１３ｃｍ×１３ｃｍの正方形状をしている。【００１５】
支持台１４は台座１４ａと支柱１４ｂとからなり、楕円平板の台座１４ａに対して垂直に支柱１４ｂは連結している。支持台１４は側板１２，１３を含む鏡ユニット１１を支持するために支柱１４ｂが鏡ユニット１１に取り外し自在に連結している。例えば、鏡ユニット１１の低部には連結孔（図示せず）が形成され、支柱１４ｂの先端部がその連結孔に差し込まれることにより支持台１４と鏡ユニット１１とが結合するようになっている。【００１６】
上記した構成を有する図１の化粧鏡セットにおいては、側板１２，１３各々を鏡ユニット１１との連結部分（上記の蝶番機構１５）を回転軸としてメークアップアーチスト等の利用者（ユーザ）が操作することにより側板１２，１３各々と鏡ユニット１１との角度を調整することができる。すなわち、鏡２１の鏡面に映し出されるモデル等の化粧対象者の像を側板１２，１３各々の有機ＥＬパネル２５ａ〜２５ｄ，２６ａ〜２６ｄによる発光によって好適に照らし出すように側板１２，１３各々と鏡ユニット１１との角度を調整することができる。【００１７】
また、側板１２，１３各々は有機ＥＬパネル２５ａ〜２５ｄ，２６ａ〜２６ｄを有する状態で図３に示すように折りたたむことができる。この折りたたんだ状態で側板１２，１３同士が接触することはなく、また、有機ＥＬパネル２５ａ〜２５ｄ，２６ａ〜２６ｄの厚みが薄いために有機ＥＬパネル２５ａ〜２５ｄ，２６ａ〜２６ｄが鏡２１に圧接することもない。【００１８】
更に、支持台１４を鏡ユニット１１から取り外して支持台１４と鏡ユニット１１及び側板１２，１３部分とを分離し、上記のように鏡ユニット１１に対して側板１２，１３を折りたたんだ状態にすることにより化粧鏡セットの搬送が容易となる。【００１９】
次に、図１の化粧鏡セットの有機ＥＬパネル２５ａ〜２５ｄ，２６ａ〜２６ｄ各々及びその駆動系について説明する。【００２０】
有機ＥＬパネル２５ａ〜２５ｄ，２６ａ〜２６ｄ各々はフルカラーの照明用発光パネルであり、図４に示すように、ガラス基板５１上に発光色がＲ（赤）Ｇ（緑）Ｂ（青）である有機ＥＬ素子５０Ｒ，５０Ｇ，５０Ｂがストライプ状に形成されている。なお、図４はストライプの直線に直交する方向の断面を示している。【００２１】
それらの有機ＥＬ素子５０Ｒ，５０Ｇ，５０Ｂ各々は陽極５２、ホール注入層５３、ホール輸送層５４、ＲＧＢ発光層５５Ｒ，５５Ｇ，５５Ｂ、電子輸送層５６、そして陰極５７の順に積層された構造を有し、有機ＥＬ素子５０Ｒ，５０Ｇ，５０Ｂ間はバンク５８で仕切られている。また、各有機ＥＬ素子５０Ｒ，５０Ｇ，５０Ｂの陽極５２上にはバスライン５９が形成されており、バスライン５９によって陽極５２への給電が行われるようになっている。陽極５２は例えば、スパッタ法により膜厚７０ｎｍのＩＴＯ膜からなる。ホール注入層５３はＣｕＰｃからなり、厚さ２０ｎｍである。ホール輸送層５４はＮＰＢからなり、厚さ２０ｎｍである。Ｒ（赤）発光層５５ＲはＣＰＢをホスト材料とし、Ｉｒ(ｐｈｑ)２ｔｐｙをドーパントとしており、Ｇ（緑）発光層５５ＧはＣＰＢをホスト材料とし、Ｉｒ(ｐｐｙ)３をドーパントとしており、Ｂ（青）５５ＢはＰＡＮＤをホスト材料とし、ＤＰＡＶＢｉをドーパントとしている。ＲＧＢ発光層５５Ｒ，５５Ｇ，５５Ｂの厚さは４０ｎｍである。電子輸送層５６はＣｓｘＭｏＯｘをドープしたＮＢｐｈｅｎからなり、厚さ３０ｎｍである。陰極５７は膜厚７０〜１００ｎｍのＡｌ膜からなる。なお、この有機ＥＬパネル２５ａ〜２５ｄ，２６ａ〜２６ｄの内部構造は一例であり、本発明はこれに限定されない。【００２２】
図１の化粧鏡セットは有機ＥＬパネル２５ａ〜２５ｄ，２６ａ〜２６ｄを駆動する駆動装置を備えている。駆動装置は図５に示すように、ＡＣ−ＤＣコンバータ６１、制御部６２、メモリ６３及び操作部６４を有している。ＡＣ−ＤＣコンバータ６１は交流電圧を直流電圧に変換して出力する。ＡＣ−ＤＣコンバータ６１の出力電圧は直流電源として有機ＥＬパネル２５ａ〜２５ｄ，２６ａ〜２６ｄ各々及び制御部６２に供給される。制御部６２は、ＡＣ−ＤＣコンバータ６１の出力電圧を電源として動作し、例えば、ＣＰＵで構成され、有機ＥＬパネル２５ａ〜２５ｄ，２６ａ〜２６ｄ各々の上記のＲＧＢの有機ＥＬ素子５０Ｒ，５０Ｇ，５０Ｂ毎の駆動電流を制御することにより有機ＥＬパネル毎に発光（発光色及び輝度）を個別に制御する。【００２３】
制御部６２には更に、メモリ６３及び操作部６４が接続されている。メモリ６３には制御部６２の制御で必要なプログラムやデータが保存される。操作部６４は有線又は無線のリモコンとして備えられており、ユーザの入力操作に応じて有機ＥＬパネル２５ａ〜２５ｄ，２６ａ〜２６ｄ各々の発光色及び輝度を指令する。ユーザによる操作部６４の電源ボタン７０の操作によって電源が投入された後においては、操作部６４のユーザの入力操作に応じて有機ＥＬパネル２５ａ〜２５ｄ，２６ａ〜２６ｄの発光色及び輝度を個別に制御することができる。操作部６４には、図６に示すように、電源ボタン７０の他に、有機ＥＬパネル選択ボタン７１、Ｒレベル、Ｇレベル及びＢレベル各々の＋ボタン７２Ｒ、７２Ｇ及び７２Ｂ及び−ボタン７３Ｒ、７３Ｇ及び７３Ｂ、メモリボタン７４、シーンボタン７５ａ〜７５ｅ、及び点灯／消灯ボタン７６が設けられている。【００２４】
例えば、有機ＥＬパネル２５ａ〜２５ｄ，２６ａ〜２６ｄのうちから任意の１つの有機ＥＬパネルが有機ＥＬパネル選択ボタン７１の押圧操作に応じて選択される。有機ＥＬパネル選択ボタン７１を押圧操作する毎に有機ＥＬパネル２５ａ〜２５ｄ，２６ａ〜２６ｄのうちのから所定の順番で１つの有機ＥＬパネルが選択される。その選択された当該１つの有機ＥＬパネルについて＋ボタン７２Ｒ、７２Ｇ及び７２Ｂ及び−ボタン７３Ｒ、７３Ｇ及び７３Ｂを操作することにより当該１つの有機ＥＬパネルのＲＧＢ各々の数値（０〜２５５）が調整される。＋ボタン７２Ｒ、７２Ｇ及び７２Ｂのいずれかが押圧操作されると、ＲＧＢの対応する数値が増加し、−ボタン７３Ｒ、７３Ｇ及び７３Ｂのいずれかが押圧操作されると、ＲＧＢの対応する数値が減少する。制御部６２は操作部６４の＋ボタン７２Ｒ又は−ボタン７３Ｒの操作によってＲの数値が変更されると、そのＲの数値に対応して当該１つの有機ＥＬパネルの赤発光色の有機ＥＬ素子５０Ｒの駆動電流を設定し、その駆動電流を赤発光色の有機ＥＬ素子５０Ｒに供給する。同様に、操作部６４の＋ボタン７２Ｇ又は−ボタン７３Ｇの操作によってＧの数値が変更された場合にはそのＧの数値に対応したその駆動電流が緑発光色の有機ＥＬ素子５０Ｇに供給され、＋ボタン７２Ｂ又は−ボタン７３Ｂの操作によってＢの数値が変更された場合にはそのＢの数値に対応したその駆動電流が青発光色の有機ＥＬ素子５０Ｂに供給される。このような操作を行うことにより、当該１つの有機ＥＬパネルの発光色及び輝度を設定することができる。また、同様にして他の有機ＥＬパネルについても発光色及び輝度を設定することができる。このように有機ＥＬパネル２５ａ〜２５ｄ，２６ａ〜２６ｄ毎に発光色及び輝度を設定することにより鏡２１の鏡面に像が映し出される化粧対象者が活動するシーンに対応した色彩を有する照明環境を作り出すことができる。【００２５】
なお、ＲＧＢの各数値と駆動電流の値との関係がメモリ６３にデータとして予め記憶されており、制御部６２がＲＧＢの数値毎に駆動電流の値をメモリ６３から読み出してその駆動電流の値を有機ＥＬ素子５０Ｒ，５０Ｇ，５０Ｂの駆動に用いる。また、選択した有機ＥＬパネル及び設定したＲＧＢの数値を表示する表示器を操作部６４、又は化粧鏡セット本体（鏡部１１や側板１２，１３）に設けても良い。【００２６】
制御部６２は、メモリボタン７４が所定の時間長以上操作されると、そのときの有機ＥＬパネル２５ａ〜２５ｄ，２６ａ〜２６ｄ各々のＲＧＢ各々の数値を有機ＥＬパネルと関連づけてユーザ設定データとしてメモリ６３に書き込む。【００２７】
メモリ６３には複数のシーン各々に対応した有機ＥＬパネル２５ａ〜２５ｄ，２６ａ〜２６ｄ各々のＲＧＢ各々の数値がデータとして予め記憶されている。シーンとしては例えば、オフィス、ホテルラウンジ、ディナーパーティ、ファションショー、及びアウトドアがある。このようなシーン毎に有機ＥＬパネル２５ａ〜２５ｄ，２６ａ〜２６ｄ各々の最適な発光色及び輝度に対応してＲＧＢ各々の数値がデータとしてメモリ６３に記憶されている。シーンボタン７５ａ〜７５ｅは複数のシーンの数分だけ備えられている。例えば、シーンボタン７５ａを操作すると、制御部６２はシーンボタン７５ａに対応したシーンのデータ（有機ＥＬパネル２５ａ〜２５ｄ，２６ａ〜２６ｄ各々のＲＧＢ各々の数値）をメモリ６３から読み出す。制御部６２は読み出したデータに応じて有機ＥＬパネル２５ａ〜２５ｄ，２６ａ〜２６ｄ各々の赤緑及び青の発光色の各有機ＥＬ素子５０Ｒ，５０Ｇ，５０Ｂの駆動電流を供給する。この結果、シーンボタン７５ａを操作すると、シーンボタン７５ａに対応したシーンに好適な照明状態を作り出すことができる。他のシーンボタン７５ｂ〜７５ｅの操作に応じて実行される動作はシーンボタン７５ａの場合と同様である。【００２８】
また、メモリボタン７４が所定の時間長より短い期間操作されると、制御部６２はユーザ設定データをメモリ６３から読み出し、読み出したデータに応じて有機ＥＬパネル２５ａ〜２５ｄ，２６ａ〜２６ｄ各々の赤緑及び青の発光色の各有機ＥＬ素子５０Ｒ，５０Ｇ，５０Ｂの駆動電流を供給する。この結果、メモリボタン７４を操作すると、ユーザが以前設定した照明状態を即座に作り出すことができる。【００２９】
点灯／消灯ボタン７６を操作するに当たっては有機ＥＬパネル選択ボタン７１によって有機ＥＬパネル２５ａ〜２５ｄ，２６ａ〜２６ｄのうちから任意の１つの有機ＥＬパネルが有機ＥＬパネル選択ボタン７１の操作に応じて選択される必要がある。当該１つの有機ＥＬパネルが選択された状態において点灯／消灯ボタン７６が操作されると、制御部６２はそのときの当該１つの有機ＥＬパネルについて点灯／消灯フラグをメモリ６３から読み出して点灯／消灯フラグが点灯を示す０（初期値）であれば、当該１つの有機ＥＬパネルについての現在のＲＧＢの数値を消灯直前データとしてメモリ６３に書き込み、当該１つの有機ＥＬパネルの各有機ＥＬ素子５０Ｒ，５０Ｇ，５０Ｂの駆動を停止し、メモリ６３の当該１つの有機ＥＬパネルについて点灯／消灯フラグを消灯を示す１に書き換える。すなわち、当該１つの有機ＥＬパネルの点灯状態において点灯／消灯ボタン７６が操作されると、当該１つの有機ＥＬパネルの各有機ＥＬ素子５０Ｒ，５０Ｇ，５０Ｂには駆動電流が流れず、当該１つの有機ＥＬパネルは消灯状態となる。【００３０】
一方、選択された当該１つの有機ＥＬパネルが消灯態において点灯／消灯ボタン７６が操作されると、制御部６２はそのときの当該１つの有機ＥＬパネルについて１（点灯に対応する）を示す点灯／消灯フラグをメモリ６３から読み出すので、更に、当該１つの有機ＥＬパネルについての消灯直前データをメモリ６３から読み出す。制御部６２は読み出した消灯直前データに応じて当該１つの有機ＥＬパネルの赤緑及び青の発光色の各有機ＥＬ素子５０Ｒ，５０Ｇ，５０Ｂの駆動電流を供給し、メモリ６３の当該１つの有機ＥＬパネルについて点灯／消灯フラグを、点灯を示す０に書き換える。すなわち、当該１つの有機ＥＬパネルの消灯（非発光）状態において点灯／消灯ボタン７６が操作されると、当該１つの有機ＥＬパネルの各有機ＥＬ素子５０Ｒ，５０Ｇ，５０Ｂには消灯直前の駆動電流が供給され、当該１つの有機ＥＬパネルは消灯直前の点灯（発光）状態となる。【００３１】
有機ＥＬパネル２５ａ〜２５ｄ，２６ａ〜２６ｄは、消灯状態では上記の陰極５７のＡｌ膜が光を反射するので鏡面として作用する。図７では有機ＥＬパネル２５ａ，２５ｄ，２６ａ，２６ｄが点灯し、有機ＥＬパネル２５ｂ，２５ｃ，２６ｂ，２６ｃが消灯してその発光面が鏡面として作用している。このように有機ＥＬパネル２５ａ〜２５ｄ，２６ａ〜２６ｄの一部又は全部を消灯させてその発光面を鏡面とすることにより、本化粧鏡セットを三面鏡として使用することができる。【００３２】
このように、請求項１に係る発明の照明付き化粧鏡セットによれば、鏡面を有する鏡ユニットと共に、色調整可能な照明用の面光源が取り付けられた側板とを備えているので、点光源を用いた場合と同じ照度を提供しても化粧対象者が眩しいことはないため、長時間に亘って良好な照度状態で化粧を施すことができる。また、色調整可能な照明用の面光源を備えているので、化粧対象者が活動するシーンに対応した色彩を有する照明環境を作り出すことができる。更に、側板は鏡ユニットの側端部に折りたたみ可能にかつ鏡面と側板との角度を調整自在に連結されているので、鏡面に化粧対象者の像を陰影なく明確に映し出すことができる。また、鏡ユニットに対して側板を折りたたんだ状態にすることにより面光源が取り付けられた状態で化粧鏡セットを容易に搬送することができる。【００３３】
図８は本発明の他の実施例として照明付きの化粧鏡セットを示している。この化粧鏡セットにおいては、有機ＥＬパネル２５ａ〜２５ｄ，２６ａ〜２６ｄが側板１２，１３に対する角度を調整可能されている。有機ＥＬパネル２５ａ〜２５ｄ，２６ａ〜２６ｄ各々の鏡ユニット１１側の辺を回転軸として有機ＥＬパネル２５ａ〜２５ｄ，２６ａ〜２６ｄの角度調整が可能である。例えば、側板１２，１３と有機ＥＬパネル２５ａ〜２５ｄ，２６ａ〜２６ｄとを蝶番機構（図示せず）を介して連結することにより有機ＥＬパネル２５ａ〜２５ｄ各々の鏡ユニット１１側の辺を回転軸とすることができる。また、図８に示したように、側板１２，１３には有機ＥＬパネル２５ａ〜２５ｄ，２６ａ〜２６ｄと対応する位置に有機ＥＬパネル２５ａ〜２５ｄ，２６ａ〜２６ｄが入り込める大きさの開口部３１ａ〜３１ｄ，３２ａ〜３２ｄを形成しても良い。このように有機ＥＬパネル２５ａ〜２５ｄ，２６ａ〜２６ｄを側板１２，１３に対して角度調整可能にすることにより、有機ＥＬパネル毎に任意の角度に調整することができるので、より適切な照明状態を作り出すことができる。【００３４】
図９は更に本発明の他の実施例として照明付きの化粧鏡セットを示している。この化粧鏡セットにおいては、図１に示した化粧鏡セットの有機ＥＬパネル２５ｂ，２６ｂに代えて点光源２８，２９が側板１２，１３には取り付けられている。点光源２８，２９としてはＬＥＤ（発光ダイオード）を用いることができる。また、折りたたみ可能のために側板１２，１３内に埋め込むならば、電球を用いることもできる。このように面光源と点光源とを組み合わせて使用することにより鏡２１の鏡面に映し出される化粧対象者の像に陰影を付けることができる。なお、点光源２８，２９各々は例えば、複数のＬＥＤから構成されても良い。また、点光源２８，２９に駆動電流を供給する駆動装置は有機ＥＬパネル２５ａ，２５ｃ，２５ｄ，２６ａ，２６ｃ，２６ｄに駆動電流を供給する駆動装置とは別に構成しても良い。【００３５】
なお、上記した実施例においては、ユーザの操作部６４の入力操作によって有機ＥＬパネル毎のＲＧＢの数値を指定することにより有機ＥＬパネル２５ａ〜２５ｄ，２６ａ〜２６ｄ各々の各発光色の有機ＥＬ素子５０Ｒ，５０Ｇ，５０Ｂを駆動しているが、ユーザの操作部６４の入力操作によって有機ＥＬパネル毎の発光色及び輝度を指定し、それらに応じてＲＧＢの数値を算出してから有機ＥＬパネル２５ａ〜２５ｄ，２６ａ〜２６ｄ各々の各発光色の有機ＥＬ素子５０Ｒ，５０Ｇ，５０Ｂを駆動しても良い。【００３６】
図１０は請求項８に係る発明の実施例である照明付きの化粧鏡セットを示している。この化粧鏡セットは、鏡ユニット８１、左右の側板８２，８３、及び支持台８４を備えている。側板８２，８３には有機ＥＬパネル９５ａ〜９５ｄ，９６ａ〜９６ｄが取り付けられている。また、側板８２，８３は鏡ユニット８１の左右の側端部に連結しかつ鏡ユニット８１に対してスライドして重なり合い可能にされている。このため、鏡ユニット８１に対して側板８２，８３をスライドさせるためにスライド機構（図示せず）が設けられている。よって、ユーザの操作に応じて側板８２，８３各々は図１０に示す矢印Ａ１，Ａ２で示す方向にスライドして鏡ユニット８１の裏面側に収納され、これにより化粧鏡セットの搬送が容易となる。なお、図１の蝶番機構１５に代えてスライド機構によって側板８２，８３がスライドする構成を除いて、鏡ユニット８１、左右の側板８２，８３、支持台８４及び有機ＥＬパネル９５ａ〜９５ｄ，９６ａ〜９６ｄは、図１に示した化粧鏡セットの鏡ユニット１１、左右の側板１２，１３、支持台１４、及び有機ＥＬパネル２５ａ〜２５ｄ，２６ａ〜２６ｄと同一である。また、照明付きの化粧鏡セットにおいては上記したスライド機構が備えられると共に鏡ユニット８１の鏡面と側板との角度が調整自在にされても良い。【００３７】
このように、請求項８に係る発明の照明付き化粧鏡セットによれば、鏡面を有する鏡ユニットと共に、色調整可能な照明用の面光源が取り付けられた側板とを備えているので、点光源を用いた場合と同じ照度を提供しても化粧対象者が眩しいことはないため、長時間に亘って良好な照度状態で化粧を施すことができる。また、色調整可能な照明用の面光源を備えているので、化粧対象者が活動するシーンに対応した色彩を有する照明環境を作り出すことができる。更に、側板は鏡ユニットの側端部に連結しかつ鏡ユニットに対してスライドして重なり合い可能にされているので、鏡ユニットに対して側板を重なり合った状態にすることにより面光源が取り付けられた状態で化粧鏡セットを容易に搬送することができる。【００３８】
図１１は単一の面光源の発光面を複数の領域に分けて領域毎に個別に駆動する照明付き化粧鏡セットを示している。例えば、図１に示した実施例においては、側板１２，１３各々には複数の有機ＥＬパネル２５ａ〜２５ｄ，２６ａ〜２６ｄが取り付けられているが、図１１に示すように側板１２，１３に単一の長手の有機ＥＬパネル２５，２６を取り付けても良い。この図１１の照明付き化粧鏡セットにおいては、有機ＥＬパネル２５，２６各々の発光面を図１１に破線で示すように複数の領域、例えば、４つの領域２８ａ〜２８ｄ，２９ａ〜２９ｄに領域分けし、上記した実施例のパネル毎の駆動と同様に、操作部におけるユーザによる入力操作に応じて制御部が領域毎に駆動しかつ発光色及び輝度を調整することが行われる。【００３９】
上記した本発明の各実施例においては、鏡ユニットの鏡面の左右の位置に面光源が設けられているが、鏡面の上方に面光源を設けても良い。このような鏡面上方にも面光源を備えた化粧鏡セットは、例えば、図１２に示すように、鏡ユニット１１には左右の側板１２，１３が角度調整自在に連結され、更に上方に上板１７が角度調整自在に連結され、その上板１７には３つの有機ＥＬパネル（面光源）２７ａ〜２７ｃが水平方向に並べて接着によって取り付けられた構成からなる。
【符号の説明】
【００４０】
１１，８１  鏡ユニット
１２，１３，８２，８３  側板
１４，８４  支持台
１５  蝶番機構
２５，２６，２５ａ〜２５ｄ，２６ａ〜２６ｄ，９５ａ〜９５ｄ，９６ａ〜９６ｄ  有機ＥＬパネル
５０Ｒ，５０Ｇ，５０Ｂ  有機ＥＬ素子
【図１】
2013047784.tif 000003
【図２】
2013047784.tif 000004
【図３】
2013047784.tif 000005
【図４】
2013047784.tif 000006
【図５】
2013047784.tif 000007
【図６】
2013047784.tif 000008
【図７】
2013047784.tif 000009
【図８】
2013047784.tif 000010
【図９】
2013047784.tif 000011
【図１０】
2013047784.tif 000012
【図１１】
2013047784.tif 000013
【図１２】
2013047784.tif 000014
【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
鏡面を有する鏡ユニットと、
色調整可能な照明用の面光源が取り付けられた側板と、
前記面光源を入力操作に応じて駆動しかつ前記面光源の発光色及び輝度を調整する制御部と、を備え、
前記側板は前記鏡ユニットの側端部に折りたたみ可能にかつ前記鏡面と前記側板との角度を調整自在に連結されていることを特徴とする照明付き化粧鏡セット。
【請求項２】
前記側板には複数の前記面光源が取り付けられ、前記面光源各々は個別に発光制御可能であることを特徴とする請求項１記載の照明付き化粧鏡セット。
【請求項３】
前記面光源の発光面は非発光時には鏡面として作用することを特徴とする請求項１又は２記載の照明付き化粧鏡セット。
【請求項４】
前記面光源は前記側板に対する角度を調整可能に取り付けられていることを特徴とする請求項１〜３のいずれか１記載の化粧鏡セット。
【請求項５】
前記側板には点光源を有することを特徴とする請求項１〜４のいずれか１記載の照明付き化粧鏡セット。
【請求項６】
前記鏡ユニットの左右の側端部各々に前記側板が連結されていることを特徴とする請求項１〜５のいずれか１記載の照明付き化粧鏡セット。
【請求項７】
前記鏡ユニットは支持台によって支持され、前記支持台は前記鏡ユニットに対して着脱自在にされていることを特徴とする請求項１〜６のいずれか１記載の照明付き化粧鏡セット。
【請求項８】
鏡面を有する鏡ユニットと、
色調整可能な照明用の面光源が取り付けられた側板と、
前記面光源を入力操作に応じて駆動しかつ前記面光源の発光色及び輝度を調整する制御部と、を備え、
前記側板は前記鏡ユニットの側端部に連結しかつ前記鏡ユニットに対してスライドして重なり合い可能にされていることを特徴とする照明付き化粧鏡セット。
【請求項９】
鏡面と、
複数の面光源と、
前記複数の面光源の１つ以上を入力操作に応じて駆動し、前記複数の面光源の少なくとも１つの輝度を調整するように構成された制御部と、
を有することを特徴とする照明セット。
【請求項１０】
前記鏡面と前記複数の面光源の少なくとも１つとの間の角度が調整可能であることを特徴とする請求項９に記載の照明セット。
【請求項１１】
前記鏡面の側端部に連結された側板を有することを特徴とする請求項９又は１０に記載の照明セット。
【請求項１２】
前記側板を前記鏡面の前記側端部に連結する蝶番機構を有することを特徴とする請求項１１に記載の照明セット。
【請求項１３】
前記鏡面と前記側板との間の角度が調整可能であることを特徴とする請求項１２に記載の照明セット。
【請求項１４】
前記複数の面光源の１つ以上が前記側板上に配されていることを特徴とする請求項１２又は１３に記載の照明セット。
【請求項１５】
鏡面と、
複数の面光源と、
前記複数の面光源の１つ以上を第１の状態及び第２の状態間で制御するように構成された制御部と、を有し、
前記複数の面光源の各々は、光を反射するように構成された第１の電極と、第２の電極とを有し、
前記制御部は、前記複数の面光源の少なくとも１つを前記第１の状態に、前記複数の面光源の少なくとも１つの他の面光源を前記第２の状態に制御するように構成され、
前記少なくとも１つの他の面光源の前記第１の電極は前記第２の状態において反射面として作用することを特徴とする照明セット。
【請求項１６】
前記第１の電極は陰極であり、前記第２の電極は陽極であることを特徴とする請求項１５に記載の照明セット。
【請求項１７】
前記制御部は、前記複数の面光源の一部又は全部を反射面として作用する前記第２の状態に制御するように構成されていることを特徴とする請求項１５又は１６に記載の照明セット。
【請求項１８】
前記第１の状態は点灯状態であり、前記第２の状態は消灯状態であることを特徴とする請求項１７に記載の照明セット。
【手続補正２】
【補正対象書類名】明細書
【補正対象項目名】００１４
【補正方法】変更
【補正の内容】
【００１４】
側板１２，１３各々の表面には４つの有機ＥＬ(Electro Luminescence)パネル（面光源）２５ａ〜２５ｄ，２６ａ〜２６ｄが垂直方向に並べて接着によって取り付けられている。有機ＥＬパネル２５ａ〜２５ｄ，２６ａ〜２６ｄは同一のものであり、例えば、１３ｃｍ×１３ｃｍの正方形状をしている。
【手続補正３】
【補正対象書類名】明細書
【補正対象項目名】００２１
【補正方法】変更
【補正の内容】
【００２１】
それらの有機ＥＬ素子５０Ｒ，５０Ｇ，５０Ｂ各々は陽極５２、ホール注入層５３、ホール輸送層５４、ＲＧＢ発光層５５Ｒ，５５Ｇ，５５Ｂ、電子輸送層５６、そして陰極５７の順に積層された構造を有し、有機ＥＬ素子５０Ｒ，５０Ｇ，５０Ｂ間はバンク５８で仕切られている。また、各有機ＥＬ素子５０Ｒ，５０Ｇ，５０Ｂの陽極５２上にはバスライン５９が形成されており、バスライン５９によって陽極５２への給電が行われるようになっている。陽極５２は例えば、スパッタ法により膜厚７０ｎｍのＩＴＯ膜からなる。ホール注入層５３はＣｕＰｃからなり、厚さ２０ｎｍである。ホール輸送層５４はＮＰＢからなり、厚さ２０ｎｍである。Ｒ（赤）発光層５５ＲはＣＰＢをホスト材料とし、Ｉｒ(ｐｈｑ)２ｔｐｙをドーパントとしており、Ｇ（緑）発光層５５ＧはＣＰＢをホスト材料とし、Ｉｒ(ｐｐｙ)３をドーパントとしており、Ｂ（青）発光層５５ＢはＰＡＮＤをホスト材料とし、ＤＰＡＶＢｉをドーパントとしている。ＲＧＢ発光層５５Ｒ，５５Ｇ，５５Ｂの厚さは４０ｎｍである。電子輸送層５６はＣｓｘＭｏＯｘをドープしたＮＢｐｈｅｎからなり、厚さ３０ｎｍである。陰極５７は膜厚７０〜１００ｎｍのＡｌ膜からなる。なお、この有機ＥＬパネル２５ａ〜２５ｄ，２６ａ〜２６ｄの内部構造は一例であり、本発明はこれに限定されない。
【手続補正４】
【補正対象書類名】明細書
【補正対象項目名】００３０
【補正方法】変更
【補正の内容】
【００３０】
一方、選択された当該１つの有機ＥＬパネルが消灯状態において点灯／消灯ボタン７６が操作されると、制御部６２はそのときの当該１つの有機ＥＬパネルについて１（消灯に対応する）を示す点灯／消灯フラグをメモリ６３から読み出すので、更に、当該１つの有機ＥＬパネルについての消灯直前データをメモリ６３から読み出す。制御部６２は読み出した消灯直前データに応じて当該１つの有機ＥＬパネルの赤緑及び青の発光色の各有機ＥＬ素子５０Ｒ，５０Ｇ，５０Ｂの駆動電流を供給し、メモリ６３の当該１つの有機ＥＬパネルについて点灯／消灯フラグを、点灯を示す０に書き換える。すなわち、当該１つの有機ＥＬパネルの消灯（非発光）状態において点灯／消灯ボタン７６が操作されると、当該１つの有機ＥＬパネルの各有機ＥＬ素子５０Ｒ，５０Ｇ，５０Ｂには消灯直前の駆動電流が供給され、当該１つの有機ＥＬパネルは消灯直前の点灯（発光）状態となる。
【手続補正５】
【補正対象書類名】明細書
【補正対象項目名】００３３
【補正方法】変更
【補正の内容】
【００３３】
図８は本発明の他の実施例として照明付きの化粧鏡セットを示している。この化粧鏡セットにおいては、有機ＥＬパネル２５ａ〜２５ｄ，２６ａ〜２６ｄが側板１２，１３に対する角度を調整可能されている。有機ＥＬパネル２５ａ〜２５ｄ，２６ａ〜２６ｄ各々の鏡ユニット１１側の辺を回転軸として有機ＥＬパネル２５ａ〜２５ｄ，２６ａ〜２６ｄの角度調整が可能である。例えば、側板１２，１３と有機ＥＬパネル２５ａ〜２５ｄ，２６ａ〜２６ｄとを蝶番機構（図示せず）を介して連結することにより有機ＥＬパネル２５ａ〜２５ｄ，２６ａ〜２６ｄ各々の鏡ユニット１１側の辺を回転軸とすることができる。また、図８に示したように、側板１２，１３には有機ＥＬパネル２５ａ〜２５ｄ，２６ａ〜２６ｄと対応する位置に有機ＥＬパネル２５ａ〜２５ｄ，２６ａ〜２６ｄが入り込める大きさの開口部３１ａ〜３１ｄ，３２ａ〜３２ｄを形成しても良い。このように有機ＥＬパネル２５ａ〜２５ｄ，２６ａ〜２６ｄを側板１２，１３に対して角度調整可能にすることにより、有機ＥＬパネル毎に任意の角度に調整することができるので、より適切な照明状態を作り出すことができる。
【国際調査報告】
2013047784.tif 000015
2013047784.tif 000016
2013047784.tif 000017
2013047784.tif 000018